(57)【要約】  開封後の飲み口を確実に閉塞することができ、飲み口の開閉操作も容易に行うことのできる缶（１）である。缶（１）は、缶本体（１ａ）の上蓋（２）にリベット（５）で固定されたリングプル（６）を引き起こすことによって封止蓋（４）が缶内へ折れ込んで開封される飲み口（３）を有している。上蓋（２）の内面側の飲み口（３）から離れた位置には、飲み口（３）を閉塞可能なサイズでリベット（５）を要（かなめ）とする扇形の裏蓋（７）がリベット（５）に固定された状態で配置されている。そして、飲み口（３）を開封した後、リベット（５）を中心にリングプル（６）を回転させると裏蓋（７）も同時に回転する連動機構として、リベット（５）を上蓋（２）に回動可能に軸支するとともに、リングプル（６）の基端部分および裏蓋（７）の要部分をそれぞれリベット（５）に固着した機構を設けている。【特許請求の範囲】
【請求項１】
上蓋にリベットで固定されたリングプルを引き起こすと封止蓋が缶内へ折れ込んで開封される飲み口を有する缶であって、前記リベットに固定された状態で前記上蓋の内面側の前記飲み口から離れた位置に配置され前記飲み口を閉塞可能なサイズで前記リベットを要（かなめ）とする扇形の裏蓋と、前記飲み口を開封した状態で前記リングプルを前記リベット中心に回転させると前記裏蓋も同時に回転する連動機構と、を設けたことを特徴とする缶。
【請求項２】
前記連動機構として、前記飲み口を開封すると前記上蓋に回転可能に軸支された状態となる前記リベットに前記リングプルおよび前記裏蓋をそれぞれ固定した機構を用いた請求項１記載の缶。
【請求項３】
上蓋に設けられた突起部に固定されたリングプルを引き起こすと封止蓋が缶内へ折れ込んで開封される飲み口を有する缶であって、前記突起部に固定された状態で前記上蓋の内面側の前記飲み口から離れた位置に配置され前記飲み口を閉塞可能なサイズの裏蓋と、前記飲み口を開封した状態で前記リングプルを前記突起部中心に回転させると前記裏蓋も同時に回転する連動機構と、を設けたことを特徴とする缶。
【請求項４】
前記連動機構として、前記突起部を包囲する閉曲線状をなし前記飲み口の開封操作により破断する薄肉部を前記上蓋に設けた請求項３記載の缶。
【請求項５】
前記薄肉部と前記閉止蓋との間に位置する前記上蓋の一部に、前記上蓋の外面側に突出した凸状部、内面側へ突出した凹状部の少なくとも一方を設けた請求項４記載の缶。
【請求項６】
前記裏蓋の形状が、前記リベットを要（かなめ）とする扇形である請求項１記載の缶。
【請求項７】
前記裏蓋の形状が、前記突起部を要（かなめ）とする扇形である請求項３記載の缶。
【請求項８】
前記裏蓋の材質を、前記缶本体の材質と略同一とした請求項１記載の缶。
【請求項９】
前記裏蓋の材質を、前記缶本体の材質と略同一とした請求項３記載の缶。
【発明の詳細な説明】
【技術分野】
【０００１】
本発明は、清涼飲料水やビールなどの容器として使用されるリングプル開封式の缶に関するものである。
【背景技術】
【０００２】
リングプル開封式の缶は、上蓋のリベットに軸支されたリングプル（プルトップ、プルタブ）を引き起こすだけで容易に飲み口を開封することができるものであり、近年、清涼飲料水やビールなどの容器として広く使用されている。【０００３】
しかしながら、従来のリングプル開封式の缶の場合、一旦開封した飲み口は再び閉塞することができないので、飲み残しが生じるような場合に不便である。【０００４】
そこで、開封した飲み口を再び閉塞するための蓋を備えた缶が、例えば、実開平５−７６３２号公報、特開平８−２４４７７０号公報、米国特許４６８１２３８号などに開示されている。【０００５】
【特許文献１】実開平５−７６３２号公報
【特許文献２】特開平８−２４４７７０号公報
【特許文献３】米国特許４６８１２３８号公報
【特許文献４】実用新案登録第３０５２８３６号公報
【発明の開示】
【発明が解決しようとする課題】
【０００６】
実開平５−７６３２号公報に記載された缶においては、開封後の飲み口を閉塞する外蓋板が缶の上蓋の外面側に配置されている。このため、開封後、缶内から炭酸ガスが発生するビールやサイダーなどの炭酸飲料缶の場合、炭酸ガスによる内圧上昇で上蓋と外蓋板との間に隙間が生じ、閉塞機能が低下することがある。また、外蓋板は上蓋とほぼ同じサイズであるため、缶材料の増大を招き、缶自体の重量も増加する。【０００７】
特開平８−２４４７７０号公報に記載された缶においては、開封後の飲み口を閉塞するシールフタが、ゴム、軟質プラスチック、ビニール、発泡スチロールなどで作られているため、気密性は高いことが予測される。しかしながら、上蓋の外側から飲み口を閉塞する方式であるため、炭酸ガスによって内圧が上昇するとシールフタが浮上して隙間が生じ、炭酸ガスが徐々に漏れるおそれがある。また、シールフタは、ゴムやプラスチックなど、金属製の缶と異質な材料で形成されているため、缶製造工程が複雑化するだけでなく、使用後の空き缶をリサイクルする場合、シールフタが異物となって分別作業が必要となるなどの様々な障害を生じる。【０００８】
米国特許４６８１２３８号に係る缶の開封機構は、リベットで上蓋に固定されたリングプルを引き起こして飲み口を開封した後、その状態でリングプルをリベット中心に回転させると、上蓋の内面側に配置された裏蓋がリベット中心に回転して飲み口を閉塞するものである。しかしながら、この裏蓋の外形は飲み口の形状の相似形であるため、飲み口と裏蓋とが正確に重なり合わない場合、隙間が生じやすく、飲み口を確実に閉塞することができない。特に、リングプル開封式の缶の場合、飲み口を開封した後は、リベット付近から缶内へ封止蓋が垂下した状態にあるため、リベット中心に回転してきた裏蓋は、垂下している封止蓋に当たる位置で止まることとなり、その結果、飲み口を完全に閉塞できないことがある。【０００９】
一方、使用後のリングプル開封式缶を利用して製作され、飲み口を開閉する機構を備えた缶製開閉式容器が、例えば、実用新案登録第３０５２８３６号公報などに開示されている。【００１０】
実用新案登録第３０５２８３６号公報に記載されている缶製開閉式容器の場合、飲み口を閉塞するための回転蓋は後付け方式であるため、液体容器として利用される缶において十分な閉塞機能を得ることは困難である。また、回転蓋は、比較的薄い平板形状であり、缶の上蓋上面に密着状に配置されるため、開閉操作が困難である。【００１１】
本発明が解決しようとする課題は、開封後の飲み口を確実に閉塞することができ、飲み口の開閉操作も容易な缶を提供することにある。
【課題を解決するための手段】
【００１２】
本発明の缶の第１の構成は、上蓋にリベットで固定されたリングプルを引き起こすと封止蓋が缶内へ折れ込んで開封される飲み口を有する缶であって、リベットに固定された状態で上蓋の内面側の飲み口から離れた位置に配置され当該飲み口を閉塞可能なサイズでリベットを要（かなめ）とする扇形の裏蓋と、飲み口を開封した状態でリングプルをリベット中心に回転させたときに裏蓋も同時に回転する連動機構と、を設けたことを特徴とする。【００１３】
このような構成において、通常の開封操作により、リングプルを引き起こして飲み口を開封した後、リベット中心にリングプルを回転させれば、裏蓋も同時に回転するため、飲み口の直下面に位置するまで裏蓋を回転させれば、開封後の飲み口を閉塞することができる。リベットを要（かなめ）とする扇形の裏蓋は、リベットを中心に広がった形状であるため、リベット付近から缶内へ垂下している封止蓋に当たる位置まで裏蓋を回転させれば、飲み口を完全に閉塞することができる。裏蓋は上蓋の内面側から飲み口を閉塞する構造であるため、缶が転倒しても内容物が流出することがない。また、飲み口が裏蓋で閉塞されることにより、缶の内部と外部との間の熱交換作用が低下するので、缶の内容物の温度変化を抑制することができる。このため、冷たい内容物は冷たいまま、温かい内容物は温かいまま、比較的長時間保つことができる。【００１４】
また、内容物から発生する炭酸ガスで内圧が上昇すると、裏蓋は飲み口に押圧される状態となって気密性が高まるため、開封後の飲み口を確実に閉塞することができ、炭酸飲料などからの炭酸ガスの揮発を防止することができる。さらに、飲み口を開封した後のリングプルをリベット中心に回転させるだけで、飲み口を閉塞、開放することができるため、開閉操作も容易である。【００１５】
飲み口を開封した状態でリングプルをリベット中心に回転させたときに裏蓋も同時に回転する連動機構としては、飲み口を開封すると上蓋に回転可能に軸支された状態となるリベットにリングプルおよび裏蓋をそれぞれ固定した機構を採用することができる。このような構成とすれば、リングプル、リベットおよび裏蓋が一体化するため、飲み口を開封した状態でリングプルをリベット中心に回転させれば、同時に裏蓋も回転する。【００１６】
次に、本発明の缶の第２の構成は、上蓋に設けられた突起部に固定されたリングプルを引き起こすと封止蓋が缶内へ折れ込んで開封される飲み口を有する缶であって、突起部に固定された状態で上蓋の内面側の飲み口から離れた位置に配置され当該飲み口を閉塞可能なサイズの裏蓋と、飲み口を開封した状態でリングプルを突起部中心に回転させると裏蓋も同時に回転する連動機構と、を設けたことを特徴とする。【００１７】
このような構成において、通常の開封操作により、リングプルを引き起こして飲み口を開封した後、突起部中心にリングプルを回転させれば、裏蓋も同時に回転するため、飲み口の直下面に位置するまで裏蓋を回転させれば、開封後の飲み口を閉塞することができる。裏蓋は上蓋の内面側から飲み口を閉塞する構造であるため、缶が転倒しても内容物が流出することがない。また、飲み口が裏蓋で閉塞されることにより、缶の内部と外部との間の熱交換作用が低下するので、缶の内容物の温度変化を抑制することができる。このため、冷たい内容物は冷たいまま、温かい内容物は温かいまま、比較的長時間保つことができる。【００１８】
また、内容物から発生する炭酸ガスで内圧が上昇すると、裏蓋は飲み口に押圧される状態となって気密性が高まるため、開封後の飲み口を確実に閉塞することができ、炭酸飲料などからの炭酸ガスの揮発を防止することができる。飲み口を開封した後のリングプルを突起部中心に回転させるだけで、飲み口を閉塞、開放することができるため、開閉操作も容易である。リングプルおよび裏蓋を上蓋に固定する手段として、上蓋を貫通するリベットを用いていないので、開封前における缶の気密保持性も良好である。【００１９】
前記連動機構としては、突起部を包囲する閉曲線状をなし飲み口の開封操作により破断する薄肉部を上蓋に設けることが望ましい。このような構成とすれば、飲み口の開封操作によって突起部を包囲する薄肉部が破断し、突起部はリングプルおよび裏蓋が一体化した状態で回転可能となるため、飲み口を開封した状態でリングプルを突起部中心に回転させれば裏蓋も同時に回転する。【００２０】
この場合、突起部周囲の薄肉部と封止蓋との間に位置する上蓋の一部に、上蓋の外面側へ突出した凸状部、内面側へ突出した凹状部の少なくとも一方を設けることもできる。このような構成とすれば、薄肉部と封止蓋との間に位置する上蓋の剛性が高まるため、通常の開封操作でリングプルを引き起こしたとき薄肉部に応力が集中し、本来破断すべき薄肉部が確実に破断するようになるので、開封操作性が向上する。この場合、薄肉部と封止蓋との間に複数の凸状部を配置することが望ましい。【００２１】
また、本発明の缶においては、裏蓋の形状は、リベットまたは突起部を要（かなめ）部分とする扇形とする。このような形状とすることにより、飲み口の開封操作を妨げることがなく、開封後は、リングプルを回転させるだけの簡単な操作で確実な閉塞状態を得ることができる。【００２２】
さらに、裏蓋の材質を缶本体の材質と略同一とすることが望ましい。このような構成とすれば、従来の缶製造工程と同様の工程で裏蓋を取り付けることが可能となるため、缶製造工程の複雑化を回避することができる。また、使用後の空き缶を回収してリサイクル使用する場合、使用済み空き缶の回収過程において、裏蓋と缶本体とを分別する必要もなくなるため、回収作業の複雑化を招くこともない。【００２３】
なお、「裏蓋の材質を缶本体の材質と略同一とする」とは、裏蓋の材質と缶本体の材質とが、その成分・組成まで全く同一であることのみを意味するのではなく、缶本体の材質がアルミニウム系であれば裏蓋もアルミニウム系材質とし、缶本体の材質がスチール系であれば裏蓋もスチール系材質とする程度の同一性も含むことを意味している。
【発明の効果】
【００２４】
本発明により、開封後の飲み口を確実に閉塞することができ、飲み口の開閉操作も容易な缶を提供することができる。
【図面の簡単な説明】
【００２５】
【図１】本発明の第１の実施形態である缶を示す平面図である。
【図２】図１のＡ−Ａ線における一部切欠断面図である。
【図３】図２に示す缶を開封した状態で示す一部切欠断面図である。
【図４】図１に示す缶の開封後の開口部を裏蓋で閉塞した状態を示す平面図である。
【図５】本発明の第２実施形態である缶を示す部分斜視図である。
【図６】図５のＢ−Ｂ線における一部省略斜視断面図である。
【図７】図６の一部拡大図である。
【図８】図７の一部拡大図である。
【図９】図５に示す缶を構成する上蓋の組み立て前状態を示す斜視図である。
【図１０】図７に示す部分の組み立て状態を示す分解斜視図である。
【図１１】図５に示す缶の開封状態を示す部分斜視図である。
【図１２】第１０のＢ−Ｂ線における一部省略斜視断面図である。
【図１３】図１２の一部拡大図である。
【図１４】裏蓋に関するその他の実施の形態を示す斜視図である。
【図１５】裏蓋に関するその他の実施の形態を示す斜視図である。
【図１６】上蓋に関するその他の実施の形態を示す部分斜視図である。
【図１７】図１６に示す上蓋を用いて構成した缶の部分断面図である。
【図１８】上蓋に関するその他の実施の形態を示す部分斜視図である。
【図１９】図１８に示す上蓋を用いて構成した缶の部分断面図である。
【図２０】上蓋に関するその他の実施の形態を示す部分斜視図である。
【符号の説明】
【００２６】
１，２１    缶
１ａ，２１ａ    缶本体
２，２２，３２，４２，５２    上蓋
３，２３    飲み口
４，２４    封止蓋
５    リベット
６，２６    リングプル
７，２７，３７，４７    裏蓋
８    内容物
２４ａ，３０，３６，４６，５６    薄肉部
２４ｂ    ヒンジ部
２５，２７ａ，３５，４５，５５    突起部
２５ａ    プレス前突起部
２５ｂ    上面凸部
２５ｃ    下面凹部
２６ａ    係止部
２６ｂ    貫通孔
３１，５１  凸状部
３４，４４，５４    閉止蓋
３７ａ，４７ａ，４７ｂ    垂下部
４１    凹状部
【発明を実施するための最良の形態】
【００２７】
図１から図４は本発明の第１実施形態を示す図である。【００２８】
図１，図２に示すように、本実施形態の缶１は、缶本体１ａの上蓋２にリベット５で固定されたリングプル６を引き起こすことによって封止蓋４が缶本体１ａ内へ折れ込んで開封される飲み口３を有している。上蓋２の内面側の飲み口３から離れた位置には、飲み口３を閉塞可能なサイズでリベット５を要（かなめ）とする扇形の裏蓋７がリベット５に固定された状態で配置されている。そして、リベット５を中心にリングプル６を回転させたときに裏蓋７も同時に回転する連動機構として、リングプル６の基端部分および裏蓋７の要部分をそれぞれ上蓋２の上面および下面でリベット５に固着するとともに、飲み口３を開封するとリベット５が上蓋２に回動可能に軸支された状態となる機構を設けている。【００２９】
ここで、図３，図４を参照して、缶１の開封操作およびその後の飲み口３の閉塞、開放操作について説明する。図３に示すように、従来のリングプル開封方式の缶と同様の操作でリングプル６を引き起こすと封止蓋４が缶本体１ａ内に折れ込んで飲み口３が開封されるので、従来通り、リングプル６を上蓋２の上面側へ押し戻した後、飲み口３に口を付けて内容物８を飲んだり、飲み口３から内容物８を注ぎ出したりすることができる。【００３０】
飲み口３を開封するとリベット５が上蓋２に回動可能に軸支された状態となり、図４に示すように、リベット５中心にリングプル６を時計回りに回転させれば裏蓋７も同時に同じ方向に回転するようになるため、飲み口３の直下面に位置するまで裏蓋７を回転させれば、開封後の飲み口３を閉塞することができる。この場合、図３に示すように、開封操作によって缶内に折れ込んだ封止蓋４は飲み口３のリベット５左寄りの部分から缶内に垂下した状態にある。このため、リングプル６を時計回りに回転させる際に裏蓋７を封止蓋４に当接するまで回転させれば、リベット５を要（かなめ）とする扇形の裏蓋７は飲み口３の直下面に位置するので、飲み口３を確実に閉塞することができる。即ち、缶内に垂下した封止蓋４は裏蓋７の閉塞操作に対するストッパとして機能するため、封止蓋４に当接するまで裏蓋７を回転させることによって閉塞状態を容易に確認することができる。【００３１】
前述の操作により飲み口３を閉塞した状態にある裏蓋７は上蓋２の内面側から飲み口３を閉塞しているため、缶１が揺動したり、転倒したりしても内容物８が流出することがない。また、飲み口３を裏蓋７で閉塞すれば、缶１の内部と外部との間の熱交換作用が低下するので、缶１の内容物８の温度変化を抑制することができる。このため、内容物８が冷たい飲み物であれば冷たいまま、温かい飲み物であれば温かいまま、比較的長時間保つことができる。【００３２】
また、内容物８がビールやサイダーなどの炭酸飲料である場合、そこから発生する炭酸ガスで缶１の内圧が上昇すると、裏蓋７は飲み口３に押圧される状態となって気密性が高まるため、開封後の飲み口３を確実に閉塞することができる。また、内容物８である炭酸飲料からの炭酸ガスの揮発を防止することができる。【００３３】
次に、裏蓋７で閉塞された飲み口３を再び開放したい場合は、図４に示すように、リングプル６をリベット５中心に反時計回りに回転させる。これによって、裏蓋７も同時に同じ方向に回転して、飲み口３の直下面から離れた位置まで移動するので、飲み口３を簡単に開放することができる。このように、飲み口３を開封した後のリングプル６をリベット５中心に時計回り、反時計回りに回転させるだけで、飲み口３を閉塞、開放することができるため、開閉操作は極めて容易である。また、缶１においては、裏蓋７の形状は、リベット５を要部分とする扇形としているため、飲み口３の開封操作を妨げたり、飲み口３から缶内に垂下した封止蓋４で閉塞操作が妨げられたりすることがなく、開封後は、リングプル６を回転するだけの簡単な操作で確実な閉塞状態を得ることができる。【００３４】
一方、缶１においては裏蓋７の材質を缶本体１ａの材質と略同一としている。即ち、缶本体１ａはアルミ缶であるため、裏蓋７もアルミニウム系材質で形成している。このように、缶本体１ａの材質と裏蓋７の材質とを略同一とすれば、従来の缶製造工程と同様の工程で裏蓋７を取り付けることが可能となるため、缶製造工程の複雑化を回避することができる。また、使用後の缶１をリサイクル使用する場合に裏蓋７と缶本体１ａとを分別する必要もなくなる。なお、缶本体１ａがスチール缶であれば裏蓋７もスチール系材質とすることが望ましい。【００３５】
本実施形態の缶１は、缶ビールなどとして流通している円筒形状の缶であるが、本発明はこれに限定するものではないので、リングプル（プルトップ、プルタブ）開封方式の缶であれば、缶の形状、サイズ、材質あるいは内容物を問わず広く利用することができる。【００３６】
図５から図１３は本発明の第２実施形態を示す図である。【００３７】
図５〜図８に示すように、本実施形態の缶２１は、缶本体２１ａの上蓋２２のほぼ中心に設けられた突起部２５に固定されたリングプル２６を引き起こすことによって封止蓋２４が缶本体２１ａ内へ折れ込んで開封される飲み口２３を有している。上蓋２２の内面側の飲み口２３から離れた位置には、飲み口２３を閉塞可能なサイズの扇形の裏蓋２７が突起部２５に固定された状態で配置されている。【００３８】
ここで、図９および図１０を参照して、上蓋２２の突起部２５に対するリングプル２６および裏蓋２７の固定構造について説明する。図９に示すように、組み立て前状態の上蓋２２のほぼ中央部には、平面視形状が略半月形のハット状をしたプレス前突起部２５ａが形成されている。図１０に示すように、このプレス前突起部２５ａの下面凹部２５ｃに、扇形の裏蓋２７の要部分に設けられた平面視形状が略半月形のハット状の突起部２７ａを挿入するとともに、リングプル２６に設けられた略半月形の貫通孔２６ｂを有する係止部２６ａをプレス前突起部２５ａの上面凸部２５ｂに取り付ける。【００３９】
そして、プレス前突起部２５ａの上面凸部２５ｂおよび裏蓋２７の突起部２７ａをプレスすると、図８に示すように、上蓋２２のプレス前突起部２５ａおよび裏蓋２７の突起部２７ａとが重合した状態で拡径変形し、リングプル２６の係止部２６ａおよび裏蓋２７の突起部２７ａが上蓋２２の突起部２５に固定される。【００４０】
次に、図９，図１１〜図１３を参照して、飲み口２３の開封操作および裏蓋２７による飲み口２３の閉塞操作について説明する。図９に示すように、上蓋２２の上面には、リングプル２６を引き起こしたときに封止蓋２４が缶本体内に折れ込むようにするための薄肉部２４ａおよびヒンジ部２４ｂが設けられている。また、リングプル２６を引き起こしたときの応力集中によって破断する溝状の薄肉部３０が、突起部２５を包囲する閉曲線である円形状をなすように、突起部２５の周囲に設けられている。【００４１】
したがって、従来のリングプル開封方式の缶と同様の操作でリングプル２６を引き起こすと、薄肉部２４ａが破断してヒンジ部２４ｂが折れ曲がることにより、封止蓋２４が缶本体２１ａ内に折れ込んだ状態となって飲み口２３が開封する。この後、従来通り、リングプル２６を上蓋２２の上面側へ押し戻せば、図１１に示すような開封状態となるので、飲み口２３に口を付けて内容物を飲んだり、飲み口２３から内容物を注ぎ出したりすることができる。このとき、裏蓋２７は飲み口２３から離れた位置にあるので、飲み口２３から内容物を飲んだり、注ぎ出したりする際に妨げとなることはない。【００４２】
また、前述した飲み口２３の開封操作をすることにより、図１２および図１３に示すように、突起部２５を包囲する円形の薄肉部３０が破断して円形の隙間３１が形成されるため、突起部２５の部分（ハッチング２２ａの部分）が上蓋２２から独立した状態となる。これにより、リングプル２６の係止部２６ａおよび裏蓋２７の突起部２７ａが突起部２５に一体的に固定された状態で、上蓋２２に対して回転可能となる。これにより、飲み口２３を開封した状態で、リングプル２６を突起部２５を中心に回転させれば、同時に裏蓋２７も回転する連動機構が形成される。【００４３】
なお、図１０で示したように、リングプル２６の係止部２６ａの貫通孔２６ｂ、裏蓋２７の突起部２７ａおよび突起部２５はそれぞれの略半月形状部分の位相を一致させて固定しているので、リングプル２６を回転させたときは常に裏蓋２７も回転し、空転は生じない。【００４４】
したがって、突起部２５を中心にリングプル２６を時計回りに回転させれば裏蓋２７も同時に同じ方向に回転し、飲み口２３の直下面に位置するまで裏蓋２７を回転させれば、開封後の飲み口２３を閉塞することができる。この場合、図１２、図１３に示すように、開封操作によって缶本体２１ａ内に折れ込んだ封止蓋２４は突起部２５の近傍のヒンジ部２４ｂ（図９参照）から缶本体２１ａ内に垂下した状態にある。【００４５】
このため、リングプル２６を時計回りに回転させる際、裏蓋２７が封止蓋２４に当接するまで回転させれば、裏蓋２７は飲み口２３の直下面に位置するので、飲み口２３を確実に閉塞することができる。即ち、缶本体２１ａ内に垂下した封止蓋２４は裏蓋２７の閉塞操作に対するストッパとして機能するため、封止蓋２４に当接するまで裏蓋２７を回転させることによって閉塞状態を容易に確認することができる。【００４６】
前述の操作により飲み口２３を閉塞した状態にある裏蓋２７は上蓋２２の内面側から飲み口２３を閉塞しているため、缶２１が揺動したり、転倒したりしても内容物が流出することがない。また、飲み口２３を裏蓋２７で閉塞すれば、缶２１の内部と外部との間の熱交換作用が低下するので、缶２１の内容物の温度変化を抑制することができる。このため、冷たい内容物は冷たいまま、温かい内容物は温かいまま、比較的長時間保つことができる。【００４７】
また、内容物がビールやサイダーなどの炭酸飲料である場合、そこから発生する炭酸ガスで缶２１の内圧が上昇すると、裏蓋２７は飲み口２３に押圧される状態となって気密性が高まるため、開封後の飲み口２３を確実に閉塞することができる。このため、内容物である炭酸飲料からの炭酸ガスの揮発を防止することができる。【００４８】
次に、裏蓋２７で閉塞された飲み口２３を再び開放したい場合、前述した図４で示したように、リングプル２６を突起部２５中心に反時計回りに回転させれば、裏蓋２７も同時に同方向に回転し、飲み口２３の直下面から離れた位置まで裏蓋２７が移動するので、飲み口２３を簡単に開放することができる。【００４９】
このように、飲み口２３を開封した後のリングプル２６を突起部２５中心に時計回り、反時計回りに回転させるだけで、飲み口２３を閉塞、開放することができるため、開閉操作は極めて容易である。【００５０】
また、缶２１においては、裏蓋２７の形状は、突起部２５を要部分とする扇形としているため、飲み口２３から缶内に垂下した封止蓋２４で閉塞操作が妨げられることがなく、確実な閉塞状態を得ることができる。【００５１】
さらに、第１実施形態の缶１と同様、缶２１を構成する缶本体２１ａ、上蓋２２および裏蓋２７はいずれもアルミニウム系材質で形成しているため、従来の缶製造工程と同様の工程で裏蓋２７を取り付け可能であり、缶製造工程の複雑化を回避することができる。また、使用後の缶２１をリサイクル使用する場合に裏蓋２７と缶本体２１ａなどとを分別する必要もなくなる。なお、缶本体２１ａがスチール缶であれば裏蓋２７もスチール系材質とすることが望ましい。【００５２】
本実施形態の缶２１は、缶ビールなどとして流通している円筒形状の缶であるが、本発明はこれに限定するものではないので、リングプル（プルトップ、プルタブ）開封方式の缶であれば、缶の形状、サイズ、材質あるいは内容物を問わず広く利用することができる。【００５３】
次に、図１４、図１５を参照して、裏蓋に関するその他の実施の形態について説明する。図１４に示す裏蓋３７の平面視形状は前述した裏蓋２７と同じであるが、その円弧部分に下方へ延設した垂下部３７ａを設けている。このような垂下部３７ａを設けたことにより、裏蓋３７の強度（剛性）が高まるとともに、垂下部３７ａが、缶内部における上蓋と缶本体との接合部分であるコーナー部分に位置するので、飲み口の閉塞状態が向上する。その他の部分の形状、機能については裏蓋２７と同様である。【００５４】
また、図１５に示す裏蓋４７においては、円弧部分に垂下部４７ａを設けるととともに、半径部分にも垂下部４７ｂを設けている。したがって、開封後の缶の飲み口を裏蓋４７で閉塞するとき、誤って、飲み口に手指などを差し込んだ状態で裏蓋４７を回転させることがあっても、平面状の垂下部４７ｂが手指などに面接触するので、手指の怪我を防止することができ、安全性に優れている。なお、垂下部４７ａの機能、効果は前述した垂下部３７ａと同様であり、その他の部分の形状、機能についても裏蓋２７と同様である。【００５５】
次に、図１６〜図１９を参照して、上蓋に関するその他の実施の形態について説明する。【００５６】
図１６および図１７に示す上蓋３２においては、突起部３５を包囲する円形の薄肉部３６と閉止蓋３４の間に位置する上蓋３２の一部に、上蓋３２の外面側へ突出した複数の凸状部３１を設けている。これらの凸状部３１は薄肉部３６の周囲に等間隔に配置されている。このような構成とすれば、薄肉部３６と閉止蓋３４との間の部分の上蓋３２の剛性が高まるため、通常の開封操作でリングプル２６を引き起こしたとき、薄肉部３６に応力が集中し、本来破断すべき薄肉部３６が確実に破断するので、開封操作性に優れている。【００５７】
図１８および図１９に示す上蓋４２においては、突起部４５を包囲する円形の薄肉部４６と閉止蓋４４の間に位置する上蓋４２の一部に、上蓋４２の内面側へ突出した複数の凹状部４１を設けている。これらの凹状部４１は薄肉部４６の周囲に等間隔に配置されている。このような構成とすれば、薄肉部４６と閉止蓋４４の間の部分の上蓋４２の剛性が高まるため、前述した図１６および図１７に示す上蓋３２と同様、通常の開封操作でリングプル２６を引き起こしたとき、薄肉部４６に応力が集中し、本来破断すべき薄肉部４６が確実に破断するので、開封操作性に優れている。【００５８】
なお、図１６に示す上蓋３２の凸状部３１と、図１８に示す上蓋４２の凹状部４１の機能、効果は、ほぼ同様であるため、上蓋３２，４３、リングプル２６あるいは突起部３５，４５などの構造や、缶の製造工程などに応じて使い分けることが望ましい。【００５９】
次に、図２０を参照して、上蓋に関するその他の実施の形態について説明する。図２０に示す上蓋５２においては、突起部５５を包囲する円形の薄肉部５６と閉止蓋５４の間に位置する上蓋５２の一部に、上蓋５２の外面側へ突出した複数の凸状部５１を設けている。これらの凸状部５１は薄肉部３６の周囲において、閉止蓋５４寄りの位置と、これらの位置と突起部５５を挟んで対称な位置とにそれぞれ同数ずつ配置されている。【００６０】
これらの突起部５５が配置された位置は、通常の開封操作でリングプル（図示せず）を引き起こすとき、および開封後にリングプルを戻すときに最も負荷が加わる部分である。したがって、これらの部分に突起部５１を設けて剛性を高めたことにより、開封操作でリングプル２６を引き起こしたとき、およびリングプルを戻したとき、突起部５５近傍の薄肉部５６に応力が集中し、薄肉部５６が確実に破断するので、開封操作性が極めて良好である。
【産業上の利用可能性】
【００６１】
本発明に係る缶は、清涼飲料水・ビールなどの収容容器や、リングプル（プルトップ、プルタブ）方式の開封手段を備えた缶を使用する産業分野において広く利用することができる。
【図１】
2005051783.tif 000002
【図２】
2005051783.tif 000003
【図３】
2005051783.tif 000004
【図４】
2005051783.tif 000005
【図５】
2005051783.tif 000006
【図６】
2005051783.tif 000007
【図７】
2005051783.tif 000008
【図８】
2005051783.tif 000009
【図９】
2005051783.tif 000010
【図１０】
2005051783.tif 000011
【図１１】
2005051783.tif 000012
【図１２】
2005051783.tif 000013
【図１３】
2005051783.tif 000014
【図１４】
2005051783.tif 000015
【図１５】
2005051783.tif 000016
【図１６】
2005051783.tif 000017
【図１７】
2005051783.tif 000018
【図１８】
2005051783.tif 000019
【図１９】
2005051783.tif 000020
【図２０】
2005051783.tif 000021
【国際調査報告】
2005051783.tif 000022
2005051783.tif 000023
2005051783.tif 000024
2005051783.tif 000025